(57)【要約】【課題】スロットへの差し込みは容易であるが、そう簡単には抜けることがない掛け止め構造を有する軟質合成樹脂製ブックカバーを提供することにある。【解決手段】軟質の合成樹脂材料製のブックカバーであって、カバーシート（２）及び内シート（３）の延長部として重なり合った２枚のシートで形成され、周囲が高周波溶着により接合された掛け止め用帯片（７）を設け、該帯片の内側シート（３’）に施された等間隔の山形のスリット（８）により複数のフック（９）を形成し、前記掛け止め用帯片を差し込むためのスロット（１０）をカバーシートの左側のシート部分に設け、前記掛け止め用帯片がスロットに差し込まれるとき、前記フックのどれか１つがスロットの縁に引っ掛かるようにしたもである。【選択図】　　　図１
0003098952.tif 000002
【実用新案登録請求の範囲】
【請求項１】
軟質の合成樹脂材料のカバーシートの左右シート部分の内側と、その各々に重ねられた、カバーシートと同じ材料の内シートとで、上下縁及び外側縁の三方が高周波溶着により閉じられて、内方部位に差込み口を有するホルダーを形成し、右側の前記ホルダーを構成するカバーシート及び内シートの延長部として重なり合った２枚のシートで形成され、周囲が高周波溶着により接合された掛け止め用帯片を設け、該帯片の内側シートに施された等間隔の山形のスリットにより複数のフックを形成し、前記掛け止め用帯片を差し込むためのスロットをカバーシートの左側のシート部分に設け、前記掛け止め用帯片がスロットに差し込まれるとき、前記フックのどれか１つがスロットの縁に引っ掛かるようにした、ブックカバー。
【考案の詳細な説明】
【０００１】
【考案の属する分野】
本考案は、トップオープン型ポケットを有する写真アルバム、或いは本、手帳若しくはシステム手帳等のカバーとして使用されるようになった軟質合成樹脂製ブックカバーに関し、特にかかるブックカバーを閉じた状態に保持するための掛け止め構造に関する。
【０００２】
【従来の技術】
例えば、この種の写真アルバムはバッグ等に入れて持ち運ぶのに便利な大きさのものであって、表紙がポリプロピレンのような半硬質の合成樹脂材料で形成され、そして背に相当する、左右一体の表紙部分の間のウエブ部分に、左右に一対のトップオープン型ポケットを有する透明なフィルムを複数枚重ねて溶着により固着してなるものである。これまで、そのような写真アルバム、或いは本、手帳若しくはシステム手帳に、良き体裁作り或いは汚れ防止若しくは表紙隠しの観点からブックカバーが付けられる事がある。ブックカバーは、写真アルバム等を閉じた状態に保持するために掛け止め構造を有している。その１つの構造として、ブックカバの一方の側縁から延びる帯片を、ブックカバーの他方縁に隣接してブックカバーに設けられたスロットに差し込む形式のものが知られている。或いはホック形式のもの或いは又マジックテープ（登録商標）式のものも知られている。
【０００３】
【考案が解決しようとする課題】
しかし、後者の形式のものは、掛け止めは確実であるが、ブックカバーの外側に位置して出張り体裁が必ずしもよくないといった欠点を有していた。この点前者の構造はそのような欠点を有しておらず、理想的なものではあるが、掛け止めに難点があった。即ち、帯片をスロットに差し込むだけのものであるため、時として帯片がスロットから抜けて外れることがあり、保持の役目をしない欠点があった。
本考案の目的は、そのような不都合さに着目して工夫し、スロットへの差し込みは容易であるが、そう簡単には抜けることがない掛け止め構造を有するブックカバーを提供することにある。
【０００４】
【課題を解決するための手段】
本発明によれば、上記の目的は、軟質の合成樹脂材料のカバーシートの左右シート部分の内側と、その各々に重ねられた、カバーシートと同じ材料の内シートとで、上下縁及び外側縁の三方が高周波溶着により閉じられて、内方部位に差込み口を有するホルダーを形成し、右側の前記ホルダーを構成するカバーシート及び内シートの延長部として重なり合った２枚のシートで形成され、周囲が高周波溶着により接合された掛け止め用帯片を設け、該帯片の内側シートに施された等間隔の山形のスリットにより複数のフックを形成し、前記掛け止め用帯片を差し込むためのスロットをカバーシートの左側のシート部分に設け、前記掛け止め用帯片がスロットに差し込まれるとき、前記フックのどれか１つがスロットの縁に引っ掛かるようにした、ブックカバーを提供することによって達成される。
【０００５】
【作用】
本考案によるブックカバーを写真アルバムに使用する場合には、先ず、写真アルバムの表紙の左右一体の表紙部分をホルダーの差込み口に差し込むことによって写真アルバムはブックカバーでカバーされることになる。本或いはシステム手帳についても全く同様にしてカバー付けが行われる。写真アルバムを閉じて掛け止め用帯片をスロットに差し込むと、差し込みの深さに応じた位置にあるフックがスロットの縁に引っ掛かって帯片はそこに掛け止めされる。
【０００６】
【考案の実施形態】
図１は本発明によるブックカバー１の斜視図であって、このブックカバー１は軟質の合成樹脂材料のカバーシート２を含み、その左右シート部分の内側と、その各々に重ねられた、カバーシートと同じ材料の内シート３、３とで、上下縁及び外側縁の三方が高周波溶着６により閉じられて、内方部位に差込み口４、４を有するホルダー５、５が形成されている。軟質の合成樹脂材料は、例えば、エチレンビニールアセテートをポリプロピレンでサンドイッチ状に積層したもので、材料には大変柔軟性がある。一般的には透明な材料として形成されるが、用途によっては不透明に着色印刷されることもある。右側のホルダー５を構成するカバーシート１及び内シート３の延長部として重なり合った２枚のシート２’及び３’で形成され、周囲が高周波溶着６’により接合された掛け止め用帯片７が設けられている。掛け止め用帯片７の内側シート３’には、これに山形のスリット８が等間隔に施され、筋付け８’により僅かに起こされた複数のフック９が形成されている。掛け止め用帯片７を差し込むためのスロット１０がカバーシートの左側のシート部分に設けられている。ブックカバーを閉じて、掛け止め用帯片７をスロット１０に差し込んだとき、フック９のどれか１つがスロット１０の縁に引っ掛かって掛け止めが行われる。掛け止め用帯片７をスロット１０から引き抜こうとする時にはフックがスロットの縁から簡単に外れることが必要であり、外れるためには、フックがスロットの縁を変形させることなくフック自体の弾力性により反り返ることが必要である。フックのこの反り返りを容易にするためにスロットの縁をフックに負けないほど硬くするのが望ましい。そのために、スロットの縁には、内シート３の抜き孔１０’を通して行われる加熱圧縮による硬化縁取り１１が施される。
【０００７】
図２から分かるように、写真アルバム１２は先に述べたように、ポリプロピレンのような半硬質の合成樹脂材料で形成され、左右一体の表紙部分１３、１３を有する表紙１４を含み、それらの間の、表紙の背に相当するウエブ部分１５には、左右に一対のトップオープン型ポケット１６を有する透明なフィルムが複数枚重ねて超音波溶接１７により固着されている。
【０００８】
写真アルバム１２の表紙１４の左右一体の表紙部分１３、１３を、例えば、後ろに折り返してブックカバー１の左右一対のホルダー５、５の差込み口４、４に差し込み易い態勢にし、その上で表紙部分１３、１３の両外側端を、ホルダー５、５の差込み口４、４に差し込みながら表紙をもとの位置に戻す。かくして左右の表紙部分１３、１３はホルダー５、５の中に完全に収まり、写真アルバムはブックカバー１で外側からカバーされることになる。かくしてブックカバー１を閉じて掛け止め用帯片７をスロット１０に差し込めば、写真アルバム１２はブックカバー１でしっかりと保持される。
【０００９】
本や手帳、システム手帳についても全く同様な仕方でカバー付けを行うことができることは明らかである。
【００１０】
先に述べたようにブックカバーを閉じて掛け止め用帯片７をスロット１０に差し込むことによりフック９の１つがスロット１０の縁に引っ掛かって掛け止めが行われる。帯片７をスロット１０から抜こうとする場合には、僅かな力を掛け止め用帯片に加えてこれをし引く。するとフック９がスロット１０の縁に対して弾力性により反り返ってスロット１０の縁から外れ、掛け止め用帯片７をスロット１０から引き抜くことができる。フック９はスロット１０から外れると直ちにその弾力性により元に戻る。かくして、スロットに対する掛け止め用帯片が差し込みやすく抜けにくいといった本来の掛け止め機能を充分に発揮する。
【図面の簡単な説明】
【図１】本考案によるブックカバーの斜視図である。
【図２】本考案によるブックカバーをトップオープン型ポケットを有する写真アルバムに使用している様子を示す斜視図である。
【図３】本考案によるブックカバーの掛け止め用帯片の詳細を示す長手方向断面図である。
【図４】本考案によるブックカバーの掛け止めの様子を示す概略断面図である。
【符号の説明】
１　ブックカバー
２　カバーシート
３　内シート
３’　　内側シート
４　差込み口
５　ホルダー
６　高周波溶着
６’　　高周波溶着
７　掛け止め用帯片
８　スリット
８’　筋付け
９　フック
１０　スロット
１１　硬化縁取り
１２　写真アルバム
１３　表紙部分
１４　表紙
１５　ウエブ部分
１６　トップオープン型ポケット
１７　超音波溶接
【図１】
0003098952.tif 000003
【図２】
0003098952.tif 000004
【図３】
0003098952.tif 000005
【図４】
0003098952.tif 000006